(57)【要約】【課題】部品点数を低減しつつ、貫通穴から吹き出した水がモータに付着するのを防止する。【解決手段】上方に開口する貫通穴７ａを備え、回転羽根２を内蔵するポンプ本体３と、ポンプ本体３の上方に位置し、回転羽根２を回転駆動するモータ５とを備えた排水ポンプ１であって、回転羽根２は、モータ５と連結する軸状の連結軸２ｂを備え、連結軸２ｂの一部がポンプ本体３から突出した状態でポンプ本体３内に収容されるとともに、連結軸２ｂの上端部にフランジ２ｆが一体に形成される。【選択図】図１
2010270723.tif 000002
【特許請求の範囲】
【請求項１】
上方に開口する貫通穴を備え、回転羽根を内蔵するポンプハウジングと、該ポンプハウジングの上方に位置し、前記回転羽根を回転駆動するモータとを備えた排水ポンプであって、
前記回転羽根は、前記モータに連結される軸状の連結部を備え、該連結部の少なくとも一部が前記ポンプハウジングから突出した状態で該ポンプハウジング内に収容されるとともに、該突出部分にフランジが一体に形成されることを特徴とする排水ポンプ。
【請求項２】
前記フランジは、前記連結部の上端部に形成されることを特徴とする請求項１に記載の排水ポンプ。
【請求項３】
前記フランジの外径が前記貫通穴の最小内径に比して小さいことを特徴とする請求項１又は２に記載の排水ポンプ。
【請求項４】
前記ポンプハウジングは、前記貫通穴の周囲に沿って立設される立ち上がり部を備え、該立ち上がり部の内周面の上端部に面取り部が形成されることを特徴とする請求項１、２又は３に記載の排水ポンプ。
【請求項５】
前記面取り部が曲面状に形成されることを特徴とする請求項４に記載の排水ポンプ。
【請求項６】
前記フランジの下部に、前記貫通穴から吹き出した水の飛散方向を変更して該水を斜め下方向に導くガイド部を設けたことを特徴とする請求項１乃至５のいずれかに記載の排水ポンプ。
【発明の詳細な説明】
【技術分野】
【０００１】
本発明は、排水ポンプに関し、特に、空調室内機に組み込まれ、冷房時や除湿時に蒸発器において発生するドレン水を室外へ排水するために用いられるポンプに関する。
【背景技術】
【０００２】
従来、セパレート型の空調機は、図９に示すように、圧縮機３４と凝縮器３５とを備える室外機３２と、膨張弁３６と蒸発器３７とを内蔵した室内機３３とで構成され、気体の冷媒を圧縮機３４で圧縮し、凝縮器３５で冷却して液体とし、膨張弁３６でこの液体の圧力を下げ、蒸発器３７で気化させて気化熱を奪うことにより室内を冷房する。尚、図中の矢印は冷媒の流れる方向を示す。
【０００３】
ここで、上記空調機３１の室内機３３では、冷房運転時に蒸発器３７に空気中の水分が凝縮して付着し、蒸発器３７の下方に設けられたドレンパン３８内に滴下する。そこで、ドレンパン３８内に溜まったドレン水を室外に排水するため、排水ポンプ３９が用いられる。この排水ポンプ３９を用い、ドレン管を立上り管４０で一旦立ち上げた後、傾斜配管４１を介してドレン水を室外に導いていた。
【０００４】
しかし、上記構成においては、排水ポンプ３９の停止時に立上り管４０等に貯まったドレン水が排水ポンプ３９に向かって逆流し、図１０（ａ）に示すように、排水ポンプ３９の上蓋４２に穿設した貫通穴４３より吹き出す場合がある。また、水位が高い場合には、揚水運転時に排水ポンプ３９の貫通穴４３からドレン水があふれ出る場合もある。そのような場合には、吹き出したドレン水Ｗがモータ４４側に飛散し、モータ４４を腐食させて作動不良を招く要因となる。
【０００５】
そこで、図１０（ｂ）に示すように、例えば、特許文献１に記載の排水ポンプでは、貫通穴４３の上方において、駆動軸４５に円板状の水切り板４６を取り付け、吹き出したドレン水がモータ４４等に付着することを防止している。
【先行技術文献】
【特許文献】
【０００６】
【特許文献１】特開２０００−２４０５８１号公報
【発明の概要】
【発明が解決しようとする課題】
【０００７】
しかし、上記特許文献１に記載の排水ポンプは、水切り板４６を備えるため、モータ４４等へのドレン水の付着を防止することができるものの、部品点数が増加し、製造コストの上昇に繋がるという問題があった。
【０００８】
そこで、本発明は、上記従来の排水ポンプにおける問題点に鑑みてなされたものであって、部品点数を低減しつつ、貫通穴から吹き出した水がモータに付着するのを防止することが可能な排水ポンプを提供することを目的とする。
【課題を解決するための手段】
【０００９】
上記目的を達成するため、本発明は、上方に開口する貫通穴を備え、回転羽根を内蔵するポンプハウジングと、該ポンプハウジングの上方に位置し、前記回転羽根を回転駆動するモータとを備えた排水ポンプであって、前記回転羽根は、前記モータに連結される軸状の連結部を備え、該連結部の少なくとも一部が前記ポンプハウジングから突出した状態で該ポンプハウジング内に収容されるとともに、該突出部分にフランジが一体に形成されることを特徴とする。
【００１０】
そして、本発明によれば、回転羽根に設けたフランジが水切りとしての役割を果たすため、別途水切り板を装着しなくとも、貫通穴から吹き出す水がモータに付着するのを防止することが可能になる。
【００１１】
上記排水ポンプにおいて、前記フランジを、前記連結部の上端部に形成することができる。
【００１２】
上記排水ポンプにおいて、前記フランジの外径を前記貫通穴の最小内径に比して小さくすることができる。これによれば、ポンプハウジングの構造が複雑化するのを回避しつつ、ポンプハウジングの組み付け時の作業性を向上させることが可能になる。
【００１３】
上記排水ポンプにおいて、前記ポンプハウジングは、前記貫通穴の周囲に沿って立設される立ち上がり部を備え、該立ち上がり部の内周面の上端部に面取り部が形成されるように構成することができる。これによれば、貫通穴から吹き出る水が横方向へ飛散するように導くことができ、吹き出した水がフランジを越えてモータ等に付着するのを好適に防止することが可能になる。尚、面取り部は、平面状に限らず、曲面状に形成することもできる。
【００１４】
上記排水ポンプにおいて、前記フランジの下部に、前記貫通穴から吹き出した水の飛散方向を変更して該水を斜め下方向に導くガイド部を設けることができる。これによれば、貫通穴から吹き出した水がフランジを越える危険性を低減することができ、水がモータ等に付着するのをより好適に防止することが可能になる。
【発明の効果】
【００１５】
以上のように、本発明によれば、部品点数を低減しつつ、貫通穴から吹き出した水がモータに付着するのを防止することが可能な排水ポンプを提供することができる。
【図面の簡単な説明】
【００１６】
【図１】本発明にかかる排水ポンプの第１の実施形態を示す全体図である。
【図２】図１の回転羽根の構成を示す斜視図である。
【図３】モータとポンプ本体の連結部分を示す拡大図である。
【図４】ポンプ本体の組み付け手順を示す図である。
【図５】面取り部の他の形状を示す拡大図である。
【図６】本発明にかかる排水ポンプの第２の実施形態を示す拡大図である。
【図７】フランジの他の形成位置を示す拡大図である。
【図８】立ち上がり部の他の形状を示す拡大図である。
【図９】従来のセパレート型空調機の全体構成を示す概略図である。
【図１０】従来の排水ポンプの一例を示す図である。
【発明を実施するための形態】
【００１７】
次に、本発明を実施するための形態について、図面を参照しながら詳細に説明する。
【００１８】
図１は、本発明にかかる排水ポンプの第１の実施形態を示す全体図であり、この排水ポンプ１は、大別して、回転羽根２を内蔵するポンプ本体（ポンプハウジング）３と、ポンプ本体３の上方に配置され、駆動軸４を通じて回転羽根２を回転駆動するモータ５とから構成される。
【００１９】
ポンプ本体３は、ドレンパン（不図示）に溜まったドレン水を吸い上げて室外に排水するためのものであり、ハウジング６と、ハウジング上部の開口を塞ぐ蓋部材７とを備える。ハウジング６には、回転羽根２を収容するポンプ室６ａと、ポンプ室６ａの下部に設けられた吸込管６ｂと、ポンプ室６ａから水平方向に延びる吐出管６ｃとが形成される。一方、蓋部材７には、中央部に穿設された貫通穴７ａと、貫通穴７ａの周辺に立設された立ち上がり部７ｂとが形成される。これらハウジング６及び蓋部材７の間には、シール材としてのＯリング８が介設される。
【００２０】
回転羽根２は、プラスチックを成形したものであって、図２に示すように、皿状部材２ａと、皿状部材２ａの中心軸に沿って延びる円柱状の連結軸２ｂと、皿状部材２ａの表面上に形成された複数の大径羽根２ｃと、皿状部材２ａの裏面側に形成され、ポンプ本体３の吸込管６ｂ内に挿入される複数の小径羽根２ｄとを備える。この回転羽根２は、図３（ａ）に示すように、連結軸２ｂが蓋部材７の貫通穴７ａに挿通されるとともに、連結軸２ｂの上部が蓋部材７から突出した状態で、ハウジング６のポンプ室６ａ内に収容される。
【００２１】
図２に戻り、連結軸２ｂの中央には、連結軸２ｂの上端面から皿状部材２ａに向けて延びる連結穴２ｅが形成される。この連結穴２ｅには、モータ５と繋がる駆動軸４が圧入され、これにより、モータ５の回転力が回転羽根２に伝達される。
【００２２】
また、連結軸２ｂの上端部には、連結軸２ｂの外周面から横方向に延設されるフランジ２ｆが形成される。このフランジ２ｆは、連結軸２ｂと一体に形成され、図３に示すように、蓋部材７の貫通穴７ａから吹き出した水がモータ５に付着するのを防止する水切りとしての役割を果たす。
【００２３】
フランジ２ｆの外径φａは、図３（ａ）に示すように、蓋部材７の貫通穴７ａの最小内径φｂに比して小さく形成される。これは、ポンプ本体３の組み付け時の利便性や蓋部材７の構造の簡略化を考慮したものであり、具体的には次の通りである。
【００２４】
ポンプ本体３の組み付けは、その構造上、図４に示すように、蓋部材７の貫通穴７ａより突出した駆動軸４の回転羽根２への圧入を行う必要があり、その過程で、回転羽根２の連結軸２ｂを蓋部材７の貫通穴７ａに通す必要が生じる。このとき、フランジ２ｆの外径φａが貫通穴７ａの最小内径φｂよりも小径であれば、蓋部材７に大幅な改良を加えなくても容易に連結軸２ｂを通すことができ、蓋部材７の基本構造を維持したまま良好な作業性を確保することが可能になる。
【００２５】
但し、上記の場合、良好な作業性を確保できる反面、フランジ２ｆの外径φａを一定の大きさ以下に制限することになる。そこで、図３（ａ）に示すように、蓋部材７において、立ち上がり部７ｂの内周面の上端部に面取り部７ｃを設け、この面取り部７ｃによって、貫通穴７ａから吹き出る水Ｗが横方向へ飛散するように導く（図３（ｂ）参照）。これにより、水Ｗが上方へ吹き出すのを極力回避し、フランジ２ｆを越えてモータ５に付着するのを好適に防止する。
【００２６】
面取り部７ｃは、立ち上がり部７ｂの内周全体に亘って上面視円環状に形成されるが、その際、図３（ａ）に示すような曲面状に限らず、図５に示すような平面状に形成することもできる。
【００２７】
以上のように、本実施の形態によれば、回転羽根２の上端部にフランジ２ｆを設けるため、従来用いられていた水切り板４６（図１０（ｂ）参照）を装着しなくとも、貫通穴７ａから吹き出す水Ｗがモータ５等に付着するのを防止することができる。このため、部品点数を低減しながら、排水ポンプの停止時におけるドレン水の逆流等に対応することが可能になる。
【００２８】
図６は、本発明にかかる排水ポンプの第２の実施形態を示す拡大図である。尚、この図において、図１〜図５と同一の構成要素については、同一符号を付し、その説明を省略する。
【００２９】
図６に示す排水ポンプ１０においては、フランジ２ｆの下部に、貫通穴７ａから吹き出した水Ｗの飛散方向を変更して水Ｗを斜め下方向に導くためのガイド部２ｇが設けられる。このガイド部２ｇは、フランジ２ｆの外周部でフランジ２ｆが厚肉となるように形成され、また、フランジ２ｆの外周全体に亘って下面視円環状に形成される。尚、ガイド部２ｇは、図６（ａ）に示すような曲面状に限らず、図６（ｂ）に示すような平面状に形成することもできる。
【００３０】
このように、フランジ２ｆの下部にガイド部２ｇを設けることで、貫通穴７ａから吹き出した水Ｗがフランジ２ｆを越える危険性を低減することができ、水Ｗがモータ５に付着するのをより好適に防止することが可能になる。
【００３１】
以上、本発明の実施の形態を説明したが、本発明は、上記構成に限定されるものではなく、特許請求の範囲に記載された発明の範囲内で種々の変更が可能である。
【００３２】
例えば、上記実施の形態においては、フランジ２ｆを連結軸２ｂの上端に設けるが、フランジ２ｆは、連結軸２ｂの突出部分のいずれかの位置に形成すれば足り、図７に示すように、連結軸２ｂの上端よりも下方に設けることもできる。
【００３３】
また、上記実施の形態においては、蓋部材７の立ち上がり部７ｂを内側（貫通穴７ａ側）に絞るように形成するが（図３（ａ）参照）、図８に示すように、立ち上がり部７ｂを立直状に形成することもできる。
【符号の説明】
【００３４】
１、１０  排水ポンプ
２  回転羽根
２ａ  皿状部材
２ｂ  連結軸
２ｃ  大径羽根
２ｄ  小径羽根
２ｅ  連結穴
２ｆ  フランジ
２ｇ  ガイド部
３  ポンプ本体
４  駆動軸
５  モータ
６  ハウジング
６ａ  ポンプ室
６ｂ  吸込管
６ｃ  吐出管
７  蓋部材
７ａ  貫通穴
７ｂ  立ち上がり部
７ｃ  面取り部
８  Ｏリング
【図１】
2010270723.tif 000003
【図２】
2010270723.tif 000004
【図３】
2010270723.tif 000005
【図４】
2010270723.tif 000006
【図５】
2010270723.tif 000007
【図６】
2010270723.tif 000008
【図７】
2010270723.tif 000009
【図８】
2010270723.tif 000010
【図９】
2010270723.tif 000011
【図１０】
2010270723.tif 000012